(57)【要約】【課題】携帯用電気機器で、充電可能な場所への到着時間まで電池を継続使用できない時は消費電流を抑える。【解決手段】制御部３は、充電可能な場所への到着予定時刻の設定を受ける。次に、タイマー部７は、内蔵電池の充電が可能となるまでの時間：Ｔ〔ｈ〕を算出する。Ｔ≦０の場合、電池残量検出部５は、現在の使用状況での電池残量：Ｖ〔ｍＡｈ〕を検出する。また、消費電流検出部６は、現在の使用状況での消費電流：Ｉ（ｍＡ）を検出する。次に、Ｔ≧Ｖ／Ｉが成立する場合、制御部３は、ＬＣＤ表示用バックライト部１１の輝度を下げる。以降、上記処理を繰り返す。【選択図】図１
2011082805.tif 000002
【特許請求の範囲】
【請求項１】
二次電池を内蔵した携帯用電気機器が充電可能となる地点への使用者の到着時刻を入力する到着時刻入力手段と、
前記到着時刻と現在時刻とから、前記二次電池の充電が可能となるまでの待機時間を逐次計算する待機時間計算手段と、
前記待機時間が零以下となったか否かを検証することでもって、前記使用者が前記充電可能な地点へ到着したか否かを判断する到着判断手段と、
前記使用者が前記充電可能な地点へ到着していない場合に、現在の使用状況下での前記二次電池の残り容量と前記携帯用電気機器の消費電流とから、前記二次電池が使用できなくなるまでの残り時間を算出する残り時間算出手段と、
前記待機時間が前記残り時間以上である場合に、前記携帯用電気機器が有する所定の機器の消費電力量を低下させる電力量節減手段と、
を備えたことを特徴とする携帯用電気機器の電源制御装置。
【請求項２】
前記待機時間計算手段、前記判断手段、及び前記残り時間算出手段、から成る一連の手段を反復して実施し、前記待機時間が前記残り時間以上である場合に、前記反復回数に応じて前記消費電力量を低下させる前記携帯用電気機器の種類を増加させることを特徴とする請求項１記載の携帯用電気機器の電源制御装置。
【請求項３】
前記待機時間計算手段、前記判断手段、及び前記残り時間算出手段、から成る一連の手段を反復して実施し、前記待機時間が前記残り時間以上である場合に、前記反復回数に応じて前記消費電力量を低下させる前記携帯用電気機器の個数を増加させることを特徴とする請求項１または請求項２記載の携帯用電気機器の電源制御装置。
【請求項４】
前記消費電力量を低下させる前記所定の機器の範疇には、ＬＣＤ表示用バックライト、キー用バックライト、ワンセグ機能、音楽再生機能、及びゲーム機能、が含まれていることを特徴とする請求項１乃至請求項３のいずれか１項に記載の携帯用電気機器の電源制御装置。
【請求項５】
前記到着判断手段により、前記使用者が前記充電可能な地点へ到着したと判断した場合に、前記二次電池の充電が開始されたか否かをさらに判断し、前記二次電池の充電が開始されていない場合には、警報を発することを特徴とする請求項１乃至請求項４のいずれか１項に記載の携帯用電気機器の電源制御装置。
【請求項６】
前記警報の範疇には、スピーカからの鳴動音及びバイブレータからの振動が含まれていることを特徴とする請求項５記載の携帯用電気機器の電源制御装置。
【請求項７】
二次電池を内蔵した携帯用電気機器が充電可能となる地点への使用者の到着時刻を入力する到着時刻入力ステップと、
前記到着時刻と現在時刻とから、前記二次電池の充電が可能となるまでの待機時間を逐次計算する待機時間計算ステップと、
前記待機時間が零以下となったか否かを検証することでもって、前記使用者が前記充電可能な地点へ到着したか否かを判断する到着判断ステップと、
前記使用者が前記充電可能な地点へ到着していない場合に、現在の使用状況下での前記二次電池の残り容量と前記携帯用電気機器の消費電流とから、前記二次電池が使用できなくなるまでの残り時間を算出する残り時間算出ステップと、
前記待機時間が前記残り時間以上である場合に、前記携帯用電気機器が有する所定の機器の消費電力量を低下させる電力量節減ステップと、
を有することを特徴とする携帯用電気機器の電源制御方法。
【請求項８】
請求項１乃至請求項６記載の携帯用電気機器の電源制御装置を内蔵した携帯用電気機器。
【請求項９】
請求項８記載の携帯用電気機器の範疇に含まれる携帯電話機。
【請求項１０】
二次電池を内蔵した携帯用電気機器が充電可能となる地点への使用者の到着時刻を入力する到着時刻入力ステップと、
前記到着時刻と現在時刻とから、前記二次電池の充電が可能となるまでの待機時間を逐次計算する待機時間計算ステップと、
前記待機時間が零以下となったか否かを検証することでもって、前記使用者が前記充電可能な地点へ到着したか否かを判断する到着判断ステップと、
前記使用者が前記充電可能な地点へ到着していない場合に、現在の使用状況下での前記二次電池の残り容量と前記携帯用電気機器の消費電流とから、前記二次電池が使用できなくなるまでの残り時間を算出する残り時間算出ステップと、
前記待機時間が前記残り時間以上である場合に、前記携帯用電気機器が有する所定の機器の消費電力量を低下させる電力量節減ステップと、
を有して、携帯用電気機器の制御をコンピュータに実行させることを特徴とするコンピュータプログラム。
【発明の詳細な説明】
【技術分野】
【０００１】
本発明は携帯用電気機器の電源制御装置、携帯用電気機器の電源制御方法、携帯電話機、及びコンピュータプログラムに係り、特に、電源電池の供給電力を常に確保することができるように供給可能電力量（即ち残容量）を管理して制御する携帯用電気機器の電源制御装置、携帯用電気機器の電源制御方法、携帯電話機、及びコンピュータプログラムに関する。
【背景技術】
【０００２】
近年、日常生活において、携帯電話機を代表とする携帯用電気機器を使用する場合が益々増大している。このような携帯用電気機器を円滑に使用するためには、常に電池切れが生じないように使用者が注意する必要があるが、装置側としても、緊急を要しない機能を手動または自動的にて実行するような事態は避けることが望ましい。
ところで、近年の携帯電話機には、元々の音声通話機能の他に、電子メール機能、Ｗｅｂ閲覧機能、アプリケーション実行機能、音楽再生機能、テレビ閲覧機能等の各機能が多種・多彩に設置されている。また、使用者も、少しの空き時間に携帯電話機を操作することが習慣化している。
【０００３】
なお、この分野の先行技術として、例えば特許文献１には、電池の残容量と消費電流とに基づいて算出された携帯用電気機器の使用可能時間と、ＧＰＳによる測位に基づいて算出された充電を可能とするまでの時間とを比較し、当該比較結果に基づいて各種機能を停止させる携帯用電気機器の技術が開示されている。
また、例えば特許文献２には、事前に設定した充電が可能となる時刻になっても、実際に充電が行わなければアラームを出力する技術が開示されている。
【先行技術文献】
【特許文献】
【０００４】
【特許文献１】特開２００８−２３６６８０号公報
【特許文献２】特開平０９−２８４３７５号公報
【発明の概要】
【発明が解決しようとする課題】
【０００５】
しかしながら、上記背景技術で述べた携帯電話機を代表とする携帯用電気機器にあっては、外出先において、上記したような機能を頻繁に使用することにより、電池の残容量が無くなってしまう場面も数多く出現するという問題点が有った。一方、電池残容量を気にするあまり、使用したい機能を使用しないで済ませる等の不便さを感じる場面も多い。
また、特許文献１に記載の携帯用電気機器は、電池容量が所定の閾値以下となったか否かを所定周期毎にモニタリングし、電池容量が所定の閾値以下となった場合に位置測定を行う。このため、電池容量が所定の閾値以下となった場合、所定周期毎に位置測定を行うこととなり、当該位置測定による電力消費によって電池の消費が早まってしまう惧れがある。
【０００６】
本発明は、上記従来の問題点に鑑みてなされたものであって、携帯電話機を代表とする携帯用電気機器において、電池残容量及び消費電流に基づいて使用可能時間を算出し、充電可能な場所への到着時間と比較することで、必要であれば消費電流を抑えることを可能にする携帯用電気機器の電源制御装置、携帯用電気機器の電源制御方法、携帯電話機、及びコンピュータプログラムを提供することを目的としている。
【課題を解決するための手段】
【０００７】
上記課題を解決するために、本発明に係る携帯用電気機器の電源制御装置は、二次電池を内蔵した携帯用電気機器が充電可能となる地点への使用者の到着時刻を入力する到着時刻入力手段と、前記到着時刻と現在時刻とから、前記二次電池の充電が可能となるまでの待機時間を逐次計算する待機時間計算手段と、前記待機時間が零以下となったか否かを検証することでもって、前記使用者が前記充電可能な地点へ到着したか否かを判断する到着判断手段と、前記使用者が前記充電可能な地点へ到着していない場合に、現在の使用状況下での前記二次電池の残り容量と前記携帯用電気機器の消費電流とから、前記二次電池が使用できなくなるまでの残り時間を算出する残り時間算出手段と、前記待機時間が前記残り時間以上である場合に、前記携帯用電気機器が有する所定の機器の消費電力量を低下させる電力量節減手段と、を備えたことを特徴とする。
【０００８】
また、本発明に係る携帯用電気機器の電源制御方法は、二次電池を内蔵した携帯用電気機器が充電可能となる地点への使用者の到着時刻を入力する到着時刻入力ステップと、前記到着時刻と現在時刻とから、前記二次電池の充電が可能となるまでの待機時間を逐次計算する待機時間計算ステップと、前記待機時間が零以下となったか否かを検証することでもって、前記使用者が前記充電可能な地点へ到着したか否かを判断する到着判断ステップと、前記使用者が前記充電可能な地点へ到着していない場合に、現在の使用状況下での前記二次電池の残り容量と前記携帯用電気機器の消費電流とから、前記二次電池が使用できなくなるまでの残り時間を算出する残り時間算出ステップと、前記待機時間が前記残り時間以上である場合に、前記携帯用電気機器が有する所定の機器の消費電力量を低下させる電力量節減ステップと、を有することを特徴とする。
【０００９】
また、本発明に係る携帯用電気機器として、前記の携帯用電気機器の電源制御装置を内蔵した携帯用電気機器を提供するものである。
【００１０】
さらに、本発明のコンピュータプログラムは、二次電池を内蔵した携帯用電気機器が充電可能となる地点への使用者の到着時刻を入力する到着時刻入力ステップと、前記到着時刻と現在時刻とから、前記二次電池の充電が可能となるまでの待機時間を逐次計算する待機時間計算ステップと、前記待機時間が零以下となったか否かを検証することでもって、前記使用者が前記充電可能な地点へ到着したか否かを判断する到着判断ステップと、前記使用者が前記充電可能な地点へ到着していない場合に、現在の使用状況下での前記二次電池の残り容量と前記携帯用電気機器の消費電流とから、前記二次電池が使用できなくなるまでの残り時間を算出する残り時間算出ステップと、前記待機時間が前記残り時間以上である場合に、前記携帯用電気機器が有する所定の機器の消費電力量を低下させる電力量節減ステップと、を有して、携帯用電気機器の制御をコンピュータ実行させるためのものである。
【発明の効果】
【００１１】
以上説明したように、本発明の携帯電話機を代表とする携帯用電気機器は、内蔵電池の残容量と消費電流とに基づいて消費電流を抑えることができる。
【図面の簡単な説明】
【００１２】
【図１】本発明の実施形態に係る携帯用電気機器の電源制御装置が適用される携帯用電気機器の全体構成を示す構成図である。
【図２】本発明の実施形態に係る携帯用電気機器の電源制御装置が適用される携帯用電気機器の基本動作の手順を示すフローチャート図である。
【図３】本発明の他の実施形態に係る携帯用電気機器の電源制御装置が適用される携帯用電気機器の全体構成を示す構成図である。
【図４】本発明の他の実施形態に係る携帯用電気機器の電源制御装置が適用される携帯用電気機器の基本動作の手順を示すフローチャート図である。
【発明を実施するための形態】
【００１３】
本発明は、携帯電話機等の携帯用電気機器（携帯電話機等）において、電池の残容量と、消費電流とに基づいて、携帯用電気機器の使用可能な残り時間を算出し、該残り時間と、事前に設定した充電が可能となる時間とを比較し、使用可能な残り時間が事前に設定した充電が可能となる時間よりも短い場合に、該携帯用電気機器の、使用に大きな影響を与えない各種機能を停止させ、使用時間の延長を行うことを骨子としている。
以下、本発明の携帯用電気機器の電源制御装置及び携帯電話機の実施形態について、図面を参照して詳細に説明する。
【００１４】
図１は、本発明の実施形態に係る携帯用電気機器の電源制御装置が適用される携帯用電気機器の全体構成を示す構成図である。
同図において、本実施形態の電源制御装置が適用される携帯用電気機器は携帯電話機１（本発明の携帯電話機）であり、電源の内蔵電池２（二次電池）と、制御部３と、メモリ部４と、電池残量検出部５と、消費電流検出部６と、タイマー部７と、キー操作部８と、キー用バックライト部９と、ＬＣＤ（Ｌｉｑｕｉｄ  Ｃｒｉｓｔａｌ  Ｄｉｓｐｌａｙ：液晶画面）表示部１０と、ＬＣＤ表示用バックライト部１１と、を備える。
【００１５】
以下、本実施形態の電源制御装置の機能について説明する。
携帯電話機１は、内蔵電池２から供給される電力で動作する。
制御部３は、携帯電話機１を動作させるために必要な各種の制御を行う。
メモリ部４は、携帯電話機１を動作させるために必要な、各種プログラムの他、携帯電話使用者（以下、ユーザとする）により設定された時刻情報等の情報を記録することが可能に構成されており、制御部３による制御により、任意に書き込み及び読み出しが可能であるものとする。
電池残量検出部５は、携帯電話機１に内蔵されており、内蔵電池２の残容量を検出することが可能である。
【００１６】
消費電流検出部６は、携帯電話機１により消費されている電流を検出することが可能である。
タイマー部７は、制御部３の制御により、設定された時刻までの時間のカウントを行うことが可能である。
キー操作部８はキー釦（図示は省略）を備え、ユーザ操作により時刻設定等の各種情報の入力を行うことが可能である。
キー用バックライト部９は、前記のキー釦を照光させ、該キー釦の視認性を向上させることが可能である。
【００１７】
ＬＣＤ表示部１０は、キー操作部８で入力した情報のほかに、他の様々な情報を表示することが可能であり、ＬＣＤ表示用バックライト部１１の照光により、視認性を向上させることが可能である。
ＬＣＤ表示用バックライト部１１は、制御部３の制御により輝度の調整をすることが可能である。    
【００１８】
図２は、本発明の実施形態に係る携帯用電気機器の電源制御装置が適用される携帯用電気機器の基本動作の手順を示すフローチャート図である。
以下、図１を参照しながら、図２に示すフローチャートを使用して、本実施形態に係る携帯用電気機器の電源制御装置が適用される携帯電話機１の基本動作を説明する。
［ステップＳ１１］
まず、ステップＳ１１で制御部３は、キー操作部８を介して、ユーザから、携帯電話機１の内部電池２を充電できる場所（例えば、ユーザの外出先や、自宅等）への到着予定時刻の設定を受ける。ここで設定された時刻はメモリ部４へ保存される。
【００１９】
［ステップＳ１２］
次に、ステップＳ１２でタイマー部７は、ステップＳ１１での設定の完了から一定時間経過後に、ステップＳ１１で設定した時刻と現在時刻とから、携帯電話機１の内蔵電池２の充電が可能となるまでの時間：Ｔ〔ｈ〕を算出する。
［ステップＳ１３］
次に、ステップＳ１３で、制御部３は、ステップＳ１２で算出された時間：Ｔ〔ｈ〕に基づき、ユーザが目的地にまで到着できるか否か（即ち、Ｔ≦０か否か）を検証する。このとき、制御部３がＴ≦０であると判定した場合（ステップＳ１３：ＹＥＳ）、既に充電可能な場所へ到着したことになるので、処理を終了する。他方、制御部３がＴ≦０でないと判定した場合（ステップＳ１３：ＮＯ）、未だ充電可能な場所へ到着していないことになるので、ステップＳ１４に進む。
【００２０】
［ステップＳ１４］
ステップＳ１４で電池残量検出部５は、現在の使用状況での電池残量：Ｖ〔ｍＡｈ〕を検出する。
［ステップＳ１５］
次に、ステップＳ１５で消費電流検出部６は、現在の使用状況での消費電流：Ｉ〔ｍＡ〕を検出する。
【００２１】
［ステップＳ１６］
次に、ステップＳ１６で制御部３は、上記のとおり算出した時間：Ｔ〔ｈ〕、電池残量：Ｖ〔ｍＡｈ〕、及び消費電流Ｉ〔ｍＡ〕に基づき、現時点で、充電が可能な場所に到達するまで、携帯電話機１の内蔵電池２の残容量が持つか否かの検証（即ち、Ｔ≧Ｖ／Ｉが成立するか否かの検証）を行う。このとき、制御部３が、Ｔ≧Ｖ／Ｉが成立しないと判定した場合（ステップＳ１６：ＮＯ）、ステップＳ１２に戻る。他方、制御部３が、Ｔ≧Ｖ／Ｉが成立すると判定した場合（ステップＳ１６：ＹＥＳ）、ステップＳ１７に進む。
［ステップＳ１７］
ステップＳ１７で制御部３は、ＬＣＤ表示用バックライト部１１が備えるＬＣＤ表示用バックライト（図示は省略）の輝度を下げることで、携帯電話機１の消費電流を低減させる。
【００２２】
［ステップＳ１８］
次に、ステップＳ１８では、ステップＳ１７により携帯電話機１の消費電流を低減させた後も、Ｔ≧Ｖ／Ｉが成立しない限り（ステップＳ１８：Ｔ≧Ｖ／Ｉ：ＮＯ）、ステップＳ１２〜ステップＳ１６と同様の処理を反復する。他方、制御部３は、Ｔ≧Ｖ／Ｉが成立すると判定した場合（ステップＳ１８：Ｔ≧Ｖ／Ｉ：ＹＥＳ）、ステップＳ１９に進む。また、この間、制御部３は、Ｔ＝０であると判定した場合（ステップＳ１８：Ｔ＝０：ＹＥＳ）、処理を終了する。
［ステップＳ１９］
ステップＳ１９では、制御部３は、キー用バックライト部９が備えるキー用バックライト（図示は省略）を消灯させ、処理を終了する。
【００２３】
なお、ここでは、ステップＳ１７、Ｓ１９でＬＣＤ表示用バックライトの輝度の低減や、キー用バックライトの消灯を行うことにより、消費電流を低減させたが、これに限られず、ステップＳ１２〜Ｓ１６と同様の処理による判定結果に基づいて、ワンセグ機能や音楽再生機能、ゲーム等のアプリケーション機能を停止させる処理を追加することでも消費電流の低減を行うことができる。
また、ステップＳ１２〜ステップＳ１６の反復実行回数に応じて消費電力量を低下させる携帯用電気機器の種類を増加させることができる。
さらに、ステップＳ１２〜ステップＳ１６の反復実行回数に応じて消費電力量を低下させる携帯用電気機器の個数を増加させることができる。
【００２４】
この実施形態に係る携帯用電気機器の電源制御装置によれば、充電可能な場所へ到着するまでの時間、電池残容量、及び消費電流から、携帯電話機１の使用可能時間を算出し、事前に設定した充電可能な場所への到着時間一杯までは携帯電話機１を使用し続けることができないと予測される場合は、使用に大きな影響を与えない機能を停止することで携帯電話機１の消費電流を抑えるので、携帯電話機１の使用時間を延ばすことができる効果が有る。
また、これにより、充電可能な場所まで携帯電話機１を使用できる内蔵電池２の電池残量を残したままで、携帯電話１を使用し続けることが可能となる効果がある。
【００２５】
（他の実施形態）
図３は、本発明の他の実施形態に係る携帯用電気機器の電源制御装置が適用される携帯用電気機器の全体構成を示す構成図である。
同図において、本実施形態の電源制御装置が適用される携帯用電気機器は携帯電話機２０（本発明の他の実施形態に係る携帯電話機）である。
携帯電話機２０の構成は、図１に示した携帯電話機１の構成にスピーカ部１２及びバイブレータ部１３を追加したものであるため、以下、このスピーカ部１２とバイブレータ部１３とを主体にして説明する。
【００２６】
スピーカ部１２は、スピーカ（図示は省略）を備え、メロディの鳴動を行うことが可能である。
バイブレータ部１３は、バイブレータ（図示は省略）を備え、携帯電話機２０を振動させることが可能である。
スピーカ部１２のスピーカによるメロディの鳴動、及び／または、バイブレータ部１３のバイブレータによる携帯電話機２０の振動により、ユーザにアラームを通知することを可能にしている。
【００２７】
図４は、本発明の他の実施形態に係る携帯用電気機器の電源制御装置が適用される携帯用電気機器の基本動作の手順を示すフローチャート図である。
以下、図３を参照しながら、図４に示すフローチャートを使用して、本実施形態に係る携帯用電気機器の電源制御装置が適用される携帯電話機２０の基本動作を説明する。
［ステップＳ１１〜Ｓ１９］
ステップＳ１１〜Ｓ１９では、携帯電話機２０の制御部３０は、図２に示す携帯電話機１の動作手順と同様に、充電可能な場所への到着時間、電池残容量、及び消費電流から、携帯電話機２０の使用可能時間を算出し、必要であれば消費電流を抑える制御を行なう。
【００２８】
［ステップＳ２０］
ステップＳ２０で制御部３０は、目的地へ到着したと判定した際（ステップＳ１３：ＹＥＳ、ステップＳ１８：Ｔ＝０：ＹＥＳ）に、携帯電話機２０の内蔵電池２に対する充電がなされたかを検出する。ここで充電がなされている場合は処理を終了する。他方、ここで充電がなされていない場合は、ステップＳ２１に進む。
［ステップＳ２１］
ステップＳ２１で制御部３０は、スピーカ部１２が備えるスピーカ（図示は省略する）、若しくはバイブレータ部１３が備えるバイブレータ（図示は省略する）を起動して、ユーザへ、充電動作を促すアラームを通知する。
【００２９】
この実施形態に係る携帯用電気機器の電源制御装置によれば、前述の効果に加えて、ユーザが携帯用電気機器の電池残容量が低下して使用時間を気にしていながらも、帰宅したことで充電が必要なことを忘れてしまうことを防止することができる。即ち、充電が必要な状態でユーザが帰宅した場合において、実際に充電が行われなかったときに、充電が必要なことをアラームとしてユーザに通知することができる。
【００３０】
なお、本発明に係る携帯用電気機器の電源制御装置の各構成要素の処理の少なくとも一部をコンピュータ制御により実行するものとし、かつ、上記処理を、図２，４のフローチャートで示した手順によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ、パーソナルコンピュータ、汎用コンピュータを範疇に含むコンピュータが、上記の記録媒体から上記プログラムを読み出して、実行するものとしてもよい。
【符号の説明】
【００３１】
１，２０  携帯電話機
２  内蔵電池
３，３０  制御部
４  メモリ部
５  電池残量検出部
６  消費電流検出部
７  タイマー部
８  キー操作部
９  キー用バックライト部
１０  ＬＣＤ表示部
１１  ＬＣＤ表示用バックライト部
１２  スピーカ部
１３  バイブレータ部
【図１】
2011082805.tif 000003
【図２】
2011082805.tif 000004
【図３】
2011082805.tif 000005
【図４】
2011082805.tif 000006